(57)【要約】【課題】振動の発生が抑制されるスピーカシステムを提供する。【解決手段】スピーカシステム１００は、筐体１１０に取り付けられたスピーカユニット１１２と、筐体１２０に取り付けられたスピーカユニット１２２と、スピーカユニット１１２のフランジ部１１２ａと、スピーカユニット１２２のフランジ部１２２ａとに結合された固定バー１３０ａ，１３０ｂとを備える。【選択図】図１
2008182452.tif 000002
【特許請求の範囲】
【請求項１】
スピーカシステムであって、
第１のフランジ部を有する第１のスピーカユニットと、
第２のフランジ部を有する第２のスピーカユニットと、
前記第１のフランジ部と前記第２のフランジ部とを結合する複数の軸部材とを備え、
前記第１のスピーカユニットの音声出力特性と前記第２のスピーカユニットの音声出力特性とは、同一であり、
前記第１のスピーカユニットの音声出力部と、前記第２のスピーカユニットの音声出力部とが対向するように、前記第１のフランジ部と前記第２のフランジ部とは、各前記軸部材によって結合されている、スピーカシステム。
【請求項２】
スピーカシステムであって、
第１のスピーカユニットと、
第２のスピーカユニットと、
前記第１のスピーカユニットと前記第２のスピーカユニットとを結合する複数の軸部材とを備え、
前記第１のスピーカユニットの音声出力部と、前記第２のスピーカユニットの音声出力部とが対向するように、前記第１のスピーカユニットと前記第２のスピーカユニットとは、各前記軸部材によって結合されている、スピーカシステム。
【請求項３】
前記第１のスピーカユニットの音声出力特性と前記第２のスピーカユニットの音声出力特性とは、同一である、請求項２に記載のスピーカシステム。
【請求項４】
前記第１のスピーカユニットは、第１のフランジ部を有しており、
前記第２のスピーカユニットは、第２のフランジ部を有しており、
各前記軸部材の各第１の端部は、前記第１のフランジ部に結合されており、
各前記軸部材の各第２の端部は、前記第２のフランジ部に結合されている、請求項２に記載のスピーカシステム。
【請求項５】
前記第１のスピーカユニットと前記第２のスピーカユニットとの間に配置されて、前記第１のスピーカユニットおよび前記第２のスピーカユニットに結合された反射部材をさらに備える、請求項２に記載のスピーカシステム。
【請求項６】
前記第１のスピーカユニットと前記第２のスピーカユニットとの間に配置されて、各前記軸部材に結合された反射部材をさらに備える、請求項２に記載のスピーカシステム。
【請求項７】
前記反射部材は回転体を含み、
前記回転体の回転軸は、前記第１のスピーカユニットの中心と、前記第２のスピーカユニットの中心とを結ぶ軸に一致する、請求項６に記載のスピーカシステム。
【発明の詳細な説明】
【技術分野】
【０００１】
本発明はスピーカシステムに関し、特に、２つのスピーカユニットを有するスピーカシステムに関する。
【背景技術】
【０００２】
１つのスピーカユニットを有するスピーカシステムから音を出力する場合、当該スピーカユニットの振動板を駆動する反作用がスピーカシステムの全体に加わることになる。そのため、反作用の影響を軽減するためには、スピーカシステム全体を重くすることが考えられる。しかしながら、この構成によると、スピーカシステム自体の重量によっては、設置場所の変更が容易にできなくなる等の問題も生じる。
【０００３】
スピーカシステムに関し、たとえば、実開昭６２−２０３５９８号公報（特許文献１）は、小さな床面積で容易に設置できるスピーカシステムを開示している。
【０００４】
また、特開２００２−１０３８３号公報（特許文献２）は、どの位置でも自然な音楽を楽しめるスピーカシステムを開示している。
【０００５】
また、実用新案登録第３００３６５４号公報（特許文献３）は、照明器具を備えた柱状筒体の上下中間部にスピーカが内蔵されているスピーカ付照明装置を開示している。
【０００６】
さらに、特開２００２−３０５７８８号公報（特許文献４）は、反射による影響を抑制して、ステレオイメージを損なうことのない臨場感豊かな再生音が得られるスピーカ装置を開示している。
【特許文献１】実開昭６２−２０３５９８号公報
【特許文献２】特開２００２−１０３８３号公報
【特許文献３】実用新案登録第３００３６５４号公報
【特許文献４】特開２００２−３０５７８８号公報
【発明の開示】
【発明が解決しようとする課題】
【０００７】
しかしながら、上記の各公報に開示された技術によると、各スピーカユニットが別個に形成されており、反作用による影響を防止できない場合があった。
【０００８】
本発明は、上述の問題点を解決するためになされたものであって、その目的は、スピーカユニットの音の出力による反作用の影響を防止できるスピーカシステムを提供することである。
【０００９】
他の目的は、音の出力による振動の発生を抑制できるスピーカシステムを提供することである。
【課題を解決するための手段】
【００１０】
上記の課題を解決するために、この発明のある局面に従うスピーカシステムは、第１のフランジ部を有する第１のスピーカユニットと、第２のフランジ部を有する第２のスピーカユニットと、第１のフランジ部と第２のフランジ部とを結合する複数の軸部材とを備える。第１のスピーカユニットの音声出力特性と第２のスピーカユニットの音声出力特性とは、同一である。第１のスピーカユニットの音声出力部と、第２のスピーカユニットの音声出力部とが対向するように、第１のフランジ部と第２のフランジ部とは、各軸部材によって結合されている。
【００１１】
この発明の他の局面に従うスピーカシステムは、第１のスピーカユニットと、第２のスピーカユニットと、第１のスピーカユニットと第２のスピーカユニットとを結合する複数の軸部材とを備える。第１のスピーカユニットの音声出力部と、第２のスピーカユニットの音声出力部とが対向するように、第１のスピーカユニットと第２のスピーカユニットとは、各軸部材によって結合されている。
【００１２】
好ましくは、スピーカシステムは、第１のスピーカユニットの音声出力特性と第２のスピーカユニットの音声出力特性とは、同一である。
【００１３】
好ましくは、第１のスピーカユニットは、第１のフランジ部を有している。第２のスピーカユニットは、第２のフランジ部を有している。各軸部材の各第１の端部は、第１のフランジ部に結合されている。各軸部材の各第２の端部は、第２のフランジ部に結合されている。
【００１４】
好ましくは、スピーカシステムは、第１のスピーカユニットと第２のスピーカユニットとの間に配置されて、第１のスピーカユニットおよび第２のスピーカユニットに結合された反射部材をさらに備える。
【００１５】
好ましくは、スピーカシステムは、第１のスピーカユニットと第２のスピーカユニットとの間に配置されて、各軸部材に結合された反射部材をさらに備える。
【００１６】
好ましくは、反射部材は回転体を含む。回転体の回転軸は、第１のスピーカユニットの中心と、第２のスピーカユニットの中心とを結ぶ軸に一致する。
【発明の効果】
【００１７】
本発明によると、スピーカユニットの音の出力による反作用の影響を防止できるスピーカシステムが提供される。また、本発明に係るスピーカシステムによると、音の出力による振動の発生が抑制される。また、本発明に係るスピーカシステムによると、音の出力部が複数あっても、あたかも１つの音源から出力されるように、音を出力することができる。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
＜第１の実施の形態＞
図１および図２を参照して、本発明の第１の実施の形態について説明する。図１は、本実施の形態に係るスピーカシステム１００の断面を表わす図である。スピーカシステム１００は、筐体１１０，１２０と、スピーカユニット１１２，１２２と、固定バー１３０ａ，１３０ｂとを備える。スピーカユニット１１２の音声出力部の外周部には、フランジ部１１２ａが形成されている。同様に、スピーカユニット１２２の音声出力部の外周部には、フランジ部１２２ａが形成されている。
【００２０】
固定バー１３０ａの一方端は、スピーカユニット１１２に取り付けられている。より具体的には、固定バー１３０ａは、フランジ部１１２ａ，１２２aに結合されている。たとえば、固定バー１３０ａの軸の内部は、溝を有しており、フランジ部１１２ａの裏面（すなわち筐体１１０の内部）からボルト１４０ａにより固定される。同様に、固定バー１３０ａの他方の端部の軸の内部にも、溝が切られており、フランジ部１２２ａの裏面（すなわち筐体１２０の内部）から貫通するボルト１４１ａによって結合が行なわれる。同様にして、固定バー１３０ｂの両端は、スピーカユニット１１２，１２２にそれぞれ固定されている。
【００２１】
スピーカユニット１１２，１２２は、同一のスペックを有する。ここで、スペックは、たとえば、出力（ｗ）、出力特性値など、スピーカの動作特性について周知な特性である。スピーカユニット１１２，１２２は、ある局面においては、ワンウェイのスピーカであるが、他の局面においてはツーウェイあるいはスリーウェイのスピーカユニットとして構成されてもよい。この場合、各スピーカユニットの中心が対向するスピーカユニットの中心と一致するように、スピーカシステムに配置される。
【００２２】
図２は、図１に示されるスピーカユニット１００を方向Ａから表わす図である。スピーカユニット１００の筐体１１０の一面において、スピーカユニット１１２と固定バーとは、ボルトによって結合されている。具体的には、ボルト１４０ａ，１４０ｂ，１４０ｃ，１４０ｄは、それぞれ筐体１１０を貫通し、各固定バー（たとえば固定バー１３０ａ，１３０ｂ）に取り付けられている。図２において明らかなように、このような状態でスピーカユニット１１２が音を出力すると、その音はスピーカユニット１１２の中心方向から外部に放射される。
【００２３】
以上のようにして、本発明の第１の実施の形態に係るスピーカシステム１００によると、スピーカユニット１１２、１２２は、各々の音声出力部が対向するように、フランジ部１１２ａ，１２２aにおいて、固定バー１３０ａ，１３０ｂ，１３０ｃ，１３０ｄによって結合されている。このようにすると、スピーカユニット１１２，１２２は、音の出力によって反対方向に各振動を発生する。したがって、各振動の位相が打ち消しあうことによりスピーカシステム１００全体の振動が抑制される。
【００２４】
そして、スピーカユニット１１２，１２２は、音の出力部分が対向するように配置されているため、スピーカシステム１００は、１つの点（すなわち、スピーカユニット１１２，１２２の中心軸を通る中心線）から音を発することになる。これにより、２つの音源から発せられる音を１つにまとめて出力することができる。
【００２５】
＜第２の実施の形態＞
図３および図４を参照して、本発明の第２の実施の形態に係るスピーカユニット３００について説明する。図３は、スピーカシステム３００の断面を表わす図である。スピーカシステム３００は、スピーカユニット１１２，１２２に加えて、反射部材３１０と、固定バー３２０ａ，３２０ｂ，３２０ｃ，３２０ｄとを備える。図１に示される場合と同様に、スピーカユニット１１２，１２２は、筐体（図示しない）に取り付けられている。固定バーの数は、図３から明らかにされる数に限られない。
【００２６】
反射部材３１０の材質は、樹脂、木材、金属などであるが、その他の材質が使用されてもよい。換言すれば、反射部材３１０の材質は、筐体１１０の材質と同じでもよく、異なるものであってもよい。
【００２７】
固定バー３２０ａ，３２０ｂ，３２０ｃ，３２０ｄの材質は、樹脂、木材、金属などであるが、その他の材質が使用されてもよい。換言すると、反射部材３１０の材質は、筐体１１０の材質と同じでもよく、異なるものであってもよい。
【００２８】
固定バー３２０ａは、スピーカユニット１１２と反射部材３１０とを結合している。固定バー３２０ａの一方端は、ねじ山を有しており、そのねじ溝に対応するように反射部材３１０の表面に設けられた「ねじ穴」において結合されている。また、他の局面において、固定バー３２０ａは、反射部材３１０の表面に設けられた嵌め穴に対して嵌め合いとして結合されてもよい。
【００２９】
固定バー３２０ａとスピーカユニット１１２とは、第１の実施の形態のように、ボルトによってフランジ部１１２ａにおいて固定される。固定バー３２０ｂとスピーカユニット１１２、および固定バー３２０ｂと反射部材３１０との固定も、固定バー３２０ａと同様にして行なわれる。
【００３０】
固定バー３２０ｃは、スピーカユニット１２２と反射部材３１０とを結合している。固定バー３２０ｃの一方端は、ねじ山を有しており、そのねじ溝に対応するように反射部材３１０の表面に設けられた「ねじ穴」において結合されている。固定バー３２０ｃの他の端部において、その内部にはボルト穴が形成されている。この端部は、スピーカユニット１２２のフランジ部１２２ａの裏面（筐体の内部）から貫通したボルト（図示しない）によって結合される。固定バー３２０ｄと反射部材３１０およびスピーカユニット１２２との取付態様も固定バー３２０ｃによる取付態様と同じである。
【００３１】
なお、他の局面において、固定バー３２０ａおよび３２０ｃとは１本のバー材によって実現されてもよい。この場合、反射部材３１０の当該バー材における位置を固定するために、バー材において予め規定された位置に反射部材３１０の移動を防ぐためのストッパを取り付けてもよい。ストッパは、たとえばバー材に対して一定の抵抗値を有するゴムその他の樹脂によって実現される。
【００３２】
図４は、反射部材３１０を斜め上方から表わす外観図である。反射部材３１０は、回転体として形成される。たとえば、反射部材３１０は、二等辺三角形の長辺を回転軸とする回転体として、換言すれば、同一形状を有する２つの円錐を各底面で結合したものとして、実現される。あるいは他の局面において、反射部材３１０は、同一形状を有する角錐を併せたような形状としても実現される。反射部材３１０の表面には、固定バー３２０ａ，３２０ｂなどを取り付けるための開口部４１０，４２０が形成されている。開口部４１０，４２０は、ある局面において、前述のように溝穴が形成されている。他の局面において、開口部４１０，４２０は、固定バー３２０ａ，３２０ｂの軸の外径よりも小さな内径を有する嵌め合い用の穴として形成される。この場合、固定バー３２０ａの先端部はテーパ状に形成されており、その端部が開口部４１０に挿入されると、嵌め合い抵抗によりその後は固定バー３２０ａと反射部材３１０との離脱が防止される。
【００３３】
以上のようにして、本実施の形態に係るスピーカシステム３００によると、スピーカユニット１１２，１２２から発せられた音は、反射部材３１０の表面に形成される反射面３１０ａ，３１０ｂ，３１０ｃ，３１０ｄによって反射される。反射された音は、スピーカシステム３００の水平方向にそれぞれ放出される。これにより、２つのスピーカユニットを有するスピーカシステム３００は、あたかも一点の音源を有するものとして、音を出力することができる。
【００３４】
＜第３の実施の形態＞
図５および図６を参照して、本発明の第３の実施の形態について説明する。図５は、本実施の形態に係るスピーカシステム５００の断面を表わす図である。スピーカシステム５００は、スピーカユニット１１２，１２２と、反射部材５１０と、固定バー５２０ａ，５２０ｂとを備える。
【００３５】
反射部材５１０は、スピーカユニット１１２，１２２の音声出力部の外部（たとえば、フランジ部）に取り付けられている。反射部材５１０の反射面は、スピーカユニット１１２，１２２の内部に向けられている。ここで、内部とは、スピーカユニット１１２，１２２の音声出力部により形成される空間をいう。
【００３６】
固定バー５２０ａは、反射部材５１０とスピーカユニット１１２とを固定している。固定バー５２０ａとスピーカユニット１１２との取り付けの態様は、第１または第２の実施の形態における態様と同じである。固定バー５２０ａと反射部材５１０との取り付けの態様は、第２の実施の形態における態様と同じである。
【００３７】
同様に、固定バー５２０ｂは、反射部材５１０とスピーカユニット１２２とを固定している。固定バー５２０ｂとスピーカユニット１２２との取り付けの態様は、第１または第２の実施の形態における態様と同じである。固定バー５２０ｂと反射部材５１０との取り付けの態様は、第２の実施の形態における態様と同じである。
【００３８】
このような構成において、スピーカユニット１１２，１２２から発せられた音は、反射部材５１０の反射面によって反射され、スピーカシステム５００の外部に放出される。たとえば、スピーカシステム５００が図５に示されるＸ方向を上下方向として設置されている場合、音は水平方向（Ｙ方向）に放射される。この場合、反射部材５１０は、スピーカユニット１１２，１２２の音声出力部分の一方を遮るように取り付けられており、反射面はスピーカユニット１１２，１２２の対向する方向に向けられている。このような構成を有するスピーカシステム５００によると、音の出力方向は、反射部材５１０によって一方向（すなわちＹ方向）に限られるため、スピーカシステム５００を部屋の壁に密着して設置することができる。
【００３９】
図６は、図５に示されるスピーカシステム５００を方向Ｘから表わす図である。スピーカシステム５００の筐体の一面において、スピーカユニット１１２は、矩形に形成されたフランジの四隅において、それぞれボルト６２０ａ，６２０ｂ，６２０ｃ，６２０ｄによって反射部材５１０と固定バー５２０ａに取り付けられている。たとえば、反射部材５１０の背面部は、ボルト６２０ｃ，６２０ｄによって固定されている。また、固定バー５２０ａと固定バー５２０ａに遮られる他の固定バーは、ボルト６２０ａ，６２０ｂによって固定されている。本実施の形態に係る反射部材５１０は、たとえば「五角柱」として形成される。反射部材５１０の材質は、たとえば木材であるが樹脂その他の材料によって構成されてもよい。
【００４０】
以上のようにして、本発明の第３の実施の形態に係るスピーカシステム５００によると、スピーカユニット１１２，１２２は、音声出力部が対向するように中心軸を基準として配置されている。また、スピーカユニット１１２，１２２は、反射部材５１０によって結合されている。反射部材５１０は、音の出力方向に反射板を有しており、背面でスピーカユニット１１２，１２２の結合を受ける。
【００４１】
このようにすると、スピーカユニット１１２，１２２による振動の発生が抑制される。また、音の出力方向は、一方向に限られる。これにより、たとえば、スピーカシステム５００が部屋の壁面に設置された場合に、振動を抑制しつつ、あたかも音源が１つかのような音声の出力が実現される。
【００４２】
ここで、図７を参照して、他の局面に従うスピーカシステム７００について説明する。図７は、スピーカシステム７００の断面を表わす図である。スピーカシステム７００は、スピーカユニット１１２，１２２に加えて、筐体７１０と固定バー７２０とを備える。スピーカユニット１１２，１２２は、筐体７１０に取り付けられている。スピーカユニット１１２の背面とスピーカユニット１２２の背面とは、固定バー７２０によって取り付けられている。この構成によると、スピーカユニット１１２，１２２から音が出力されると、音声の出力に応じて発生する振動は、固定バー７２０において重なり合い、共振する場合もある。また、その振動によって筐体７１０そのものが振動する場合もある。
【００４３】
しかしながら、前述の本実施の形態に係るスピーカシステム１００，３００，５００によると、スピーカユニット１１２，１２２の背面は開放端として筐体に取り付けられているため、音声の出力に応じて生じる振動は、重なることがない。また、音声出力によって生じる振動が筐体によって外部に伝わることもない。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４５】
本発明は、複数のスピーカユニットを有するスピーカシステムに適用可能である。
【図面の簡単な説明】
【００４６】
【図１】本発明の第１の実施の形態に係るスピーカシステム１００の断面を表わす図である。
【図２】スピーカユニット１００を一方向から表わす図である。
【図３】本発明の第２の実施の形態に係るスピーカユニット３００の断面を表わす図である。
【図４】スピーカユニット３００が備える反射部材３１０を斜め上方から表わす外観図である。
【図５】本発明の第３の実施の形態に係るスピーカシステム５００の断面を表わす図である。
【図６】スピーカシステム５００を一方向から表わす図である。
【図７】他の局面に従うスピーカシステム７００の断面を表わす図である。
【符号の説明】
【００４７】
１００，３００，５００，７００  スピーカシステム、１１０，１２０，７１０  筐体、１１２，１２２  スピーカユニット、１１２ａ，１２２ａ  フランジ部、１３０ａ，１３０ｂ，３２０ａ，３２０ｂ，３２０ｃ，３２０ｄ，５２０ａ，５２０ｂ，７２０  固定バー、１４０ａ，１４０ｂ，１４１ａ，１４１ｂ，６２０ａ，６２０ｂ，６２０ｃ，６２０ｄ  ボルト、３１０，５１０  反射部材、３１０ａ，３１０ｂ，３１０ｃ，３１０ｄ  反射面、４１０，４２０  開口部。
【図１】
2008182452.tif 000003
【図２】
2008182452.tif 000004
【図３】
2008182452.tif 000005
【図４】
2008182452.tif 000006
【図５】
2008182452.tif 000007
【図６】
2008182452.tif 000008
【図７】
2008182452.tif 000009